(57)【要約】【課題】ユーザはアプリケーションプログラムを探すという手間が発生する。【解決手段】上記課題を解決するために本願発明は、第１の時刻と第１の情報との入力を受け付け、そして、第１の情報と、複数のアプリケーションプログラムのうち、少なくとも１以上のアプリケーションプログラムとを関連付け、現在時刻が第１の時刻となった場合に、第１の情報に関連付けられたアプリケーションプログラムに関する情報を表示部に表示することを特徴とする。【選択図】  図２
2013030888.tif 000002
【特許請求の範囲】
【請求項１】
現在時刻を計時する計時部と、
複数のアプリケーションプログラムを記憶している記憶部と、
少なくとも１以上のアプリケーションプログラムに関する情報を表示する表示部と、
第１の時刻と第１の情報との入力を受け付ける受付部と、
前記第１の情報と、前記複数のアプリケーションプログラムのうち、少なくとも１以上のアプリケーションプログラムとを関連付ける関連付け部と、
前記現在時刻が前記第１の時刻となったか否かを判断する判断部と、
前記現在時刻が前記第１の時刻となった場合に、前記関連付け部によって前記第１の情報に関連付けられたアプリケーションプログラムに関する情報を前記表示部に表示させる表示制御部と、
を有する携帯端末装置。
【請求項２】
現在時刻を計時する計時部と、
複数のアプリケーションプログラムを記憶している記憶部と、
少なくとも１以上のアプリケーションプログラムに関する情報を表示する表示部と、
第１の時刻と第１の情報との入力を受け付ける受付部と、
前記第１の情報と、前記複数のアプリケーションプログラムのうち、少なくとも１以上のアプリケーションプログラムとを関連付ける関連付け部と、
前記現在時刻が、前記第１の時刻より第２の時間前である第３の時刻となったか否かを判断する判断部と、
前記現在時刻が前記第３の時刻となった場合に、前記関連付け部によって前記第１の情報に関連付けられたアプリケーションプログラムに関する情報を前記表示部に表示させる表示制御部と、
を有する携帯端末装置。
【請求項３】
前記受付部は、前記第１の時刻よりも遅い時刻である第４の時刻の入力を受け付け、
前記計時部は、前記現在時刻が前記第４の時刻となったか否かを判断し、
前記表示制御部は、前記現在時刻が前記第４の時刻となった場合には、前記表示部に、前記第１の情報に関連付けられたアプリケーションプログラムに関する情報の表示を中止させること、
を特徴とする請求項１又は請求項２に記載の携帯端末装置。
【請求項４】
ユーザによる操作を検知する操作検知部と、を更に備え、
前記表示制御部は、前記現在時刻が前記第１の時刻で無い場合において、前記操作検知部によりユーザの操作を検知すると、前記第１の情報に関連付けられたアプリケーションプログラムに関する情報を前記表示部に表示させること、
を特徴とする請求項１又は請求項３に記載の携帯端末装置。
【請求項５】
ユーザによる操作を検知する操作検知部と、を更に備え、
前記表示制御部は、前記現在時刻が前記第３の時刻で無い場合において、前記操作検知部によりユーザの操作を検知すると、前記第１の情報に関連付けられたアプリケーションプログラムに関する情報を前記表示部に表示させること、
を特徴とする請求項２又は請求項３に記載の携帯端末装置。
【請求項６】
前記表示制御部は、前記第１の情報に関連付けられたアプリケーションプログラムに関する情報を前記表示部に表示させる場合には、所定のマークを一緒に前記表示部に表示させること、
を特徴とする請求項１乃至請求項５に記載の携帯端末装置。
【請求項７】
前記表示制御部は、前記第１の情報に関連付けられたアプリケーションプログラムに関する情報を前記表示部に表示させてから第５の時間が経過すると、前記表示部に、前記第１の情報に関連付けられたアプリケーションプログラムに関する情報の表示を中止させること、
を特徴とする請求項１又は請求項２に記載の携帯端末装置。
【請求項８】
前記表示制御部は、前記表示部に、前記第１の情報に関連付けられたアプリケーションプログラムに関する情報の表示を中止させる場合には、前記第１の情報に関連付けられたアプリケーションプログラムのうち、一部のアプリケーションプログラムに関する表示のみを中止させること、
を特徴とする請求項３又は請求項７に記載の携帯端末装置。
【発明の詳細な説明】
【技術分野】
【０００１】
本発明は、スケジュール機能を有する携帯端末装置に関する。
【背景技術】
【０００２】
タッチパネルを有する携帯端末装置が知られている（特許文献１）。近年の携帯端末装置は、パソコン等に引けを取らないような様々な機能を実行できるようになっており、それに伴いより数多くのアプリケーションプログラムを記憶している。ユーザは、携帯端末装置に実行させたい機能に応じて、数多くのアプリケーションプログラムの中から特定のアプリケーションプログラムを選択し実行させる。また、制限された表示エリアの中で、ユーザの操作環境を向上できるＧＵＩ機能を有する情報機器が知られている。
【先行技術文献】
【特許文献】
【０００３】
【特許文献１】特開２００６−３１１２２４号公報
【特許文献２】特開２００３−１８６５９１号公報
【発明の概要】
【発明が解決しようとする課題】
【０００４】
しかしながら、上述のような携帯端末装置において、ユーザは実行させたい機能に応じてアプリケーションプログラムを選択する必要があるため、携帯端末装置に記憶されているアプリケーションプログラムの数が増えるにつれてアプリケーションプログラムを探す手間が発生する虞がある。
【０００５】
例えばユーザが特定の場所へ出張することを考えた場合に、ユーザは、特定の場所へ到着するための経路を検索するアプリケーションプログラム、特定の場所の天気を調べるためのアプリケーションプログラム等、複数のアプリケーションプログラムを使用することが想定される。この場合においてユーザは、夫々のアプリケーションプログラムを一つ一つ検索し、実行しなければならない。このため、ユーザはアプリケーションプログラムを探すという手間が発生する。
【０００６】
そこで、本発明は係る問題に鑑みてなされたものであり、ユーザの都合に応じて、使用する可能性が高いアプリケーションプログラムの実行を容易にする携帯端末装置を提供することを目的とする。
【課題を解決するための手段】
【０００７】
上記課題を解決するために本願発明は、現在時刻を計時する計時部と、複数のアプリケーションプログラムを記憶している記憶部と、少なくとも１以上のアプリケーションプログラムに関する情報を表示する表示部と、第１の時刻と第１の情報との入力を受け付ける受付部と、前記第１の情報と、前記複数のアプリケーションプログラムのうち、少なくとも１以上のアプリケーションプログラムとを関連付ける関連付け部と、前記現在時刻が前記第１の時刻となったか否かを判断する判断部と、前記現在時刻が前記第１の時刻となった場合に、前記関連付け部によって前記第１の情報に関連付けられたアプリケーションプログラムに関する情報を前記表示部に表示させる表示制御部と、を有することを特徴とする。
【発明の効果】
【０００８】
上記構成を備えることにより、携帯端末装置は、ユーザの都合に応じて、使用する可能
性が高いアプリケーションプログラムの実行を容易にすることができる。
【図面の簡単な説明】
【０００９】
【図１】携帯電話機１００の外観斜視図である。
【図２】携帯電話機１００の構成図である。
【図３】携帯電話機１００の表示部１１１に表示される画面の一例を示す図である。
【図４】記憶部１０８に記憶されているデータテーブルの一例を示す図である。
【図５】アプリケーションプログラムの登録処理の遷移を説明するための図である。
【図６】携帯電話機１００の制御処理の遷移を説明するための図である。
【図７】携帯電話機１００の表示部１１１に表示される画面の一例を示す図である。
【図８】携帯電話機１００の表示部１１１に表示される画面の一例を示す図である。
【図９】携帯電話機１００の表示部１１１に表示される画面の一例を示す図である。
【図１０】記憶部１０８に記憶されているデータテーブルの一例を示す図である。
【図１１】携帯電話機１００における動作処理の遷移を説明するための図である。
【図１２】携帯電話機１００の表示部１１１に表示される画面の一例を示す図である。
【図１３】携帯電話機１００の表示部１１１に表示される画面の一例を示す図である。
【図１４】携帯電話機１００の表示部１１１に表示される画面の一例を示す図である。
【発明を実施するための形態】
【００１０】
以下、本発明に係る携帯端末装置の実施の形態としての携帯電話機１００について説明する。
〔外観〕
図１は、携帯電話機１００の外観斜視図である。以下、本発明に係る携帯端末装置の実施の形態としての携帯電話機１００について説明する。図１は、携帯電話機１００の外観斜視図である。携帯電話機１００には、筐体１０１と、スピーカ１０２、マイク１０３、タッチパネル１０４が設けられている。タッチパネル１０４には、ユーザからの指示に基づいて、カーソルキーやテンキー等のキー群やアイコン等が表示され、ユーザは、これらを指等でタッチすることにより各種操作を行うことができる。
〔構成〕
図２は、携帯電話機１００の構成図である。携帯電話機１００は、無線部１０５、マイク１０３、スピーカ１０２、信号処理部１０７、タッチパネル１０４、記憶部１０８、計時部１０９、及び制御部１１０により構成されている。
【００１１】
無線部１０５は、アンテナ１０６を介して送受信する信号の変復調を行う。
【００１２】
信号処理部１０７は、マイク１０３から入力される音声信号を無線部１０５を介して送信するための処理や、アンテナ１０６から無線部１０５を介して受信した音声信号をスピーカ１０２へ出力するための処理を行う。また、信号処理部１０７は、無線部１０５を介して電子メール等のデータを受信し、制御部１１０へ出力する。
【００１３】
マイク１０３は、入力された音声を音声信号として信号処理部１０７へ出力する。
【００１４】
スピーカ１０２は、信号処理部１０７にて処理された音声信号又は制御部１１０より受け取った音声データを音声として出力する。
【００１５】
タッチパネル１０４は表示部１１１及び入力部１１２を備えて構成されている。
【００１６】
表示部１１１は、ＬＣＤ（Ｌｉｑｕｉｄ  Ｃｒｙｓｔａｌ  Ｄｉｓｐｌａｙ）を含み、制御部１１０からの指示に基づいて、文字やアイコン等の画像をＬＣＤに表示する機能を有している。
【００１７】
入力部１１２は、ユーザによるタッチを検出し、検出している間、単位時間（例えば１／６０秒）毎に、タッチしている位置の座標値を、制御部１１０へ出力する。尚、入力部１１２は、一般的なタッチパネルで用いられている抵抗膜方式、光学式、静電容量結合式等の何れの方法で実現するものであってもよい。
【００１８】
記憶部１０８は、ＲＯＭ、ＲＡＭ、ＥＥＰＲＯＭ、不揮発性ＲＡＭ、フラッシュメモリ、ＨＤＤ等で構成され、制御部１１０で処理される複数のアプリケーションプログラム等を記憶する。
【００１９】
また、記憶部１０８は、ユーザのスケジュールを記憶することができる。図３、図４を用いて、スケジュールの入力及び記憶について説明する。図３は、タッチパネル１０４に表示されたスケジュールの入力画面の一例を示している。タッチパネル１０４には、カレンダーを表示する領域２００と、イベントに関する情報を入力する領域２０１とを有する。領域２００にはカレンダーが表示される。領域２０１には、イベントの詳細を入力するための項目及びボタン２０２、ボタン２０３が表示される。イベントの詳細を入力するための項目とは、例えば、「イベント名」、「日時」、「場所」、「分類」等である。図３では、例えば「イベント名」として「野球観戦」、「日時」として「７／３  １５：００〜  １９：００」、「場所」として「Ａスタジアム」、「分類」として「野球観戦」が入力されている。ボタン２０２は各項目に記載された内容を記憶部１０８に記憶させるためのボタンである。ボタン２０３は、各項目に記載された内容を取り消すボタンである。記憶部１０８は、ユーザによりボタン２０２がタッチされると、各項目に記載された内容を記憶する。図４は、記憶部１０８が記憶しているスケジュールの一例である。記憶部１０８は、イベント名、日時、場所、分類に関する情報を日付と関連付けて記憶している。また、ユーザは、イベントの開始時刻と終了時刻とを入力することができる。例えば図３において、「１５：００」はイベントの開始時刻であり、「１９：００」はイベントの終了時刻である。
【００２０】
また、記憶部１０８は、分類に記載された情報と、複数のアプリケーションのうち少なくとも一部のアプリケーションとを関連付けて記憶することができる。この動作については後述する。
【００２１】
計時部１０９は、現在時刻を計時する機能を有する。計時部１０９は、計時した現在時刻を制御部１１０に出力する。
【００２２】
制御部１１０は、時刻判定部１１３、アプリ登録部１１４、表示制御部１１５とで構成され、携帯電話機１００の全体動作を制御する。制御部１１０は、例えばＣＰＵ（Central Processing Unit）などの処理手段である。
【００２３】
時刻判定部１１３は、計時部１０９により計時された時刻が記憶部１０８に記憶されたイベントの開始時刻又は終了時刻と同一になったか否かを判定する。時刻判定部１１３は、判定した結果を後述する表示制御部１１５に出力する。
【００２４】
アプリ登録部１１４は、記憶部１０８に記憶されたイベントの分類とアプリケーションプログラムとを関連づけて登録する機能を有する。図３、図５乃至図１０を用いて、アプリ登録部１１４の動作を説明する。図３において、ユーザによりボタン２０２がタッチされた場合に（Ｓ２１）、アプリ登録部１１４はイベントの分類に関連付けられたアプリケ
ーションプログラムを記憶部１０８に確認する（Ｓ２２）。アプリ登録部１１４は、イベントの分類に関連づけられたアプリケーションプログラムが記憶部１０８に有る場合には（Ｓ２３のＹｅｓ）、関連付けられているアプリケーションプログラムに関する情報を、例えば図６のように表示する（Ｓ２４）。アプリ登録部１１４は、ユーザが、関連付けられているアプリケーションプログラムの変更を指示した場合にはＳ３０に遷移する。アプリ登録部１１４は、ユーザが、関連付けられているアプリケーションプログラムの変更を指示しなかった場合（Ｓ２５）には処理を終了する。尚、図６では、イベントの分類に関連付けられているアプリケーションプログラムが領域２１２に表示されている。ユーザは、領域２１２に表示された内容を見ることにより、関連付けるアプリケーションプログラムを変更するか否かを選択することができる。
【００２５】
アプリ登録部１１４は、イベントの分類に関連付けられたアプリケーションが無い場合には（Ｓ２３のＮｏ）、例えば図７に示すように、イベントの分類とアプリケーションプログラムとの関連付けを実施するか否かをユーザに問い合わせるための表示をする。アプリ登録部１１４は、ユーザによりボタン２０６がタッチされた場合には（Ｓ３０のＮｏ）、イベントの分類とアプリケーションプログラムとの関連付けを実施せずに終了する。
【００２６】
アプリ登録部１１４は、ユーザによりボタン２０５がタッチされた場合には（Ｓ３０のＹｅｓ）、例えば図８のように、記憶部１０８に記憶されているアプリケーションプログラムの一覧を表示する（Ｓ３１）。ユーザは、表示されたアプリケーションプログラムの中からイベントの分類に関連づけるためのアプリケーションプログラムを選択する（Ｓ３２）。尚、選択されるプログラムは１つであってもよいし、複数であってもよい。
【００２７】
図８において、アプリ登録部１１４は、ボタン２０８がタッチされた場合には（Ｓ３３のＹｅｓ）、ユーザにより選択されたアプリケーションプログラムとイベントの分類とを関連付けて記憶部１０８に記憶させる（Ｓ３４）。記憶部１０８は、ユーザにより選択されたアプリケーションプログラムとイベントの分類とを例えば図１０のように関連付けて記憶する。図１０では、「野球観戦」に、「乗換案内」、「野球名鑑」、「食事ナビ」の３つが関連づけられており、「仕事」に、「メール」、「ＩＣレコーダ」の２つが関連づけられている。尚、例えば、「乗換案内」は、現在地から目的地までの交通ルートを検索するアプリケーションプログラムであり、「野球名鑑」は野球選手のプロフィールを検索するアプリケーションプログラムであり、「食事ナビ」は目的地周辺のお店を検索するアプリケーションプログラムであり、「メール」はメールの送受信をするアプリケーションプログラムであり、「ＩＣレコーダ」は音声を録音するアプリケーションプログラムである。ボタン２０８がタッチされていない場合において（Ｓ３３のＮｏ）、ボタン２０９がタッチされた場合には（Ｓ３５のＹｅｓ）、イベントの分類とアプリケーションプログラムとの関連付けを実施せずに終了する。
【００２８】
図６においてボタン２１０がタッチされた場合において（Ｓ２５のＮｏ）、Ｓ３１にてアプリケーションプログラムの一覧を表示するときは、例えば図９のように、既に関連付けられているアプリケーションプログラムがわかるように表示してもよい。例えば図９では、ユーザは、「乗換案内」、「野球名鑑」、「食事ナビ」の３つのアプリケーションプログラムにチェックが付いているので、イベントの分類名「野球観戦」に３つのアプリケーションプログラムが既に登録されていることを知ることができる。
【００２９】
表示制御部１１５は、時刻判定部１１３からの判定結果に応じて、表示部１１１の表示を制御する機能を有する。表示制御部１１５は、現在時刻がイベントの開始時刻になった場合は、イベントの分類に関連付けられたアプリケーションプログラムに関する情報を表示部１１１に表示させる。表示制御部１１５は、現在時刻がイベントの終了時刻になった場合は、イベントの分類に関連付けられたアプリケーションプログラムに関する表示を終
了する。
〔動作の説明〕
次に、上記構成を備える携帯電話機１００の動作について、図１１を用いて説明する。
【００３０】
最初に表示制御部１１５は、例えば図１２のように、予め設定されている待ち受け画面（以下、第１画面と称する場合がある）を表示部１１１に表示させる（Ｓ４１）。図１２において、第１画面には、電話の機能を実行するアプリケーションプログラムに関するアイコン４００、ブラウザの機能を実行するアプリケーションプログラムに関するアイコン４０１、カレンダーの機能を実行するアプリケーションプログラムに関するアイコン４０２が表示されている。ユーザはこれらのアイコンをタッチすることで、タッチしたアイコンに対応するアプリケーションプログラムを実行することができる。尚、カレンダーの機能を実行するアプリケーションプログラムを実行した場合には、図３のように、イベントの入力画面に遷移してもよい。
【００３１】
時刻判定部１１３は、計時部１０９からの出力に基づいて、現在時刻がイベントの開始時刻になったか否かを判定する（Ｓ４２）。時刻判定部１１３は、計時部１０９から出力された時刻がイベントの開始時刻と同一と判定した場合には（Ｓ４２のＹｅｓ）、その結果を表示制御部１１５に出力する。
【００３２】
表示制御部１１５は、時刻判定部１１３により現在時刻がイベントの開始時刻と同一と判定された場合には、イベントの分類に関連付けられたアプリケーションプログラムを確認する（Ｓ４３）。
【００３３】
表示制御部１１５は、イベントの分類に関連付けられたアプリケーションプログラムが無いと判断した場合には（Ｓ４４のＮｏ）、第１画面の表示を継続し（Ｓ５１）、終了する。
【００３４】
表示制御部１１５は、イベントの分類に関連付けられたアプリケーションプログラムが有ると判断した場合には（Ｓ４４のＹｅｓ）、イベントの分類に関連づけられたアプリケーションプログラムに関する情報を記憶部１０８から取得する（Ｓ４５）。そして、表示制御部１１５は、イベントの分類に関連付けられているアプリケーションプログラムに関するアイコンを第１画面に追加して表示する（Ｓ４６）。尚、第１画面に、イベントの分類に関連付けられているアプリケーションプログラムに関するアイコンを追加した画面を第２画面と称する場合がある。
【００３５】
図３のイベント名が「野球観戦」を用いてＳ４５及びＳ４６の処理を説明すると、表示制御部１１５は、「野球観戦」の分類である「野球観戦」に関連付けられたアプリケーションプログラムの情報を記憶部１０８から取得する。この結果、表示制御部１１５は、「野球観戦」の分類と、「乗換案内」、「野球名鑑」、「食事ナビ」の３つのアプリケーションプログラムとが関連付けられていると判断する。次に表示制御部１１５は、例えば図１３に示されるように、表示部１１１に「乗換案内」、「野球名鑑」、「食事ナビ」の３つのアプリケーションプログラムを実行するためのアイコンを表示部１１１に表示させる。尚、図１３において、アイコン４０３は「乗換案内」のアプリケーションプログラムに関するアイコンであり、アイコン４０４は「野球名鑑」のアプリケーションプログラムに関するアイコンであり、アイコン４０５は「食事ナビ」のアプリケーションプログラムに関するアイコンである。
【００３６】
次に、時刻判定部１１３は、計時部１０９からの出力に基づいて、現在時刻がイベントの終了時刻になったか否かを判定する（Ｓ４７）。時刻判定部１１３は、計時部１０９から出力された時刻がイベントの終了時刻と同一と判定した場合には（Ｓ４７のＹｅｓ）、
その結果を表示制御部１１５に出力する。
【００３７】
表示制御部１１５は、時刻判定部１１３により現在時刻と終了時刻とが同一と判定された場合には、待ち受け画面の表示をイベントの開始時刻前に表示していた待ち受け画面の表示に変更する（Ｓ４８）。つまり、表示制御部１１５は、待ち受け画面を第２画面から第１画面へ変更する。例えば、表示制御部１１５は、現在時刻がイベントの開始時刻になることにより図１２の待ち受け画面から図１３の待ち受け画面に変更した場合において、現在時刻がイベントの終了時刻になったときは、待ち受け画面を図１３から図１２に変更する。
【００３８】
表示制御部１１５により、待ち受け画面がイベント開始前の待ち受け画面に変更されると動作を終了する。
【００３９】
以上の動作を行うことにより、イベントの発生に応じて、イベントに関連するアプリケーションプログラムを実行するためのアイコンが表示部１１１に表示されるので、ユーザは、イベントの発生に応じて、使用する可能性が高いアプリケーションプログラムを容易に実行することができる。
〔その他の実施の形態〕
（１）本実施の形態では、イベントに関する情報を入力する際にイベントの終了時刻を入力することで説明したが、必ずしも終了時刻は入力しなくてもよい。この場合に、時刻判定部１１３は、イベントの終了時刻が記憶されていない場合には、現在時刻がイベントの開始時刻から所定時間経過したか否かを判定してもよい。そして表示制御部１１５は、時刻判定部１１３により現在時刻がイベントの開始時刻から所定時間経過したと判定された場合には、待ち受け画面を第２画面から第１画面に変更することとしてもよい。これにより、イベントの開始により待ち受け画面が変更された場合であっても、自動的に待ち受け画面を元に戻すことができる。
（２）本実施の形態では、イベントの開始時刻から終了時刻までの間、イベントの分類に関連づけられたアプリケーションプログラムに関するアイコンを待ち受け画面に表示したが、必ずしもこの場合に限られない。表示制御部１１５は、ユーザから第１の操作を受け付けると、第２の画面から第１の画面に変更してもよい。ユーザからの第１の操作とは、携帯電話機１００が加速度センサ等の振動検知部を備えている場合には、例えばユーザが携帯電話機１００を振る操作であってもよい。また、ユーザがタッチパネル１０４で行う特定の操作を第１の操作としてもよい。
【００４０】
また、イベントの開始時刻から終了時刻までの間、第２の画面を表示することで記載したが、イベントの開始時刻の前であっても第２の画面を表示してもよい。表示制御部１１５は、例えばイベントの開始時刻の前であって第１の画面を表示している場合に、第２の操作を検出すると第１の画面から第２の画面に変更してもよい。
【００４１】
また、第２の画面を表示する場合には、第１の画面と区別ができるように、所定のマークを付与してもよい。これにより、ユーザは現在表示されている待ち受け画面は第１の画面なのか、第２の画面なのかを所定のマークの有無により知ることができる。尚、第２の操作とは、上述した第１の操作であってもよいし、また入力部に対して所定の入力を行うことであってもよい。
【００４２】
また、第２の画面を表示している場合に、イベントの終了時刻になると第１の画面に変更することで記載したが、第１の画面ではなく第３の画面に変更してもよい。第３の画面とは、第２の画面で新たに表示されたアプリケーションプログラムのアイコンのうち、一部のアイコンの表示を削除した待ち受け画面のことである。例えば、図１３には、イベントの発生期間中、「乗換案内」、「野球名鑑」、「食事ナビ」の３つのアプリケーション
プログラムに関する情報が表示されている。表示制御部１１５は、図１４に示すように、イベントの終了時刻になると、３つのアプリケーションプログラムに関する情報のうち、「乗換案内」に関するアイコンを削除し、「野球名鑑」、「食事ナビ」に関するアイコンの表示はそのまま表示させてもよい。図１４に示す待ち受け画面が第３の画面となる。
（３）本実施の形態では、現在時刻がイベントの終了時刻になると待ち受け画面を元に戻すことで記載したが、必ずしもこの場合に限定されない。例えばイベントの終了時間に関係なく、現在時刻がイベントの開始時刻から所定時間経過した場合に待ち受け画面を元に戻すこととしてもよい。
（４）本実施の形態では、現在時刻が開始時刻になると第２の画面を表示することで記載したが、必ずしもこの場合に限られない。表示制御部は、現在時刻が開始時刻の所定時間前になったときから、第２の画面を表示させてもよい。所定時間とは、例えば１０分、３０分等の時間である。
（５）本実施の形態では、タッチパネル１０４を用いてユーザの入力を検出することで記載したが、必ずしもこの場合に限られない。操作キー等で構成された操作部を備え、操作部を介してユーザの入力を受け付けることとしてもよい。この場合には、操作部とタッチパネル１０４の両方を用いてユーザからの入力を受け付けても良いし、どちらか一方のみを備えることとしてもよい。
（６）本実施の形態では、イベントの分類とアプリケーションプログラムとを関連づけたが、必ずしもイベントの分類でなくてもよい。イベントに所定のタグを付与することにより、タグにアプリケーションプログラムとを関連づけてもよい。
（７）本実施の形態では、ストレート型の携帯電話を用いて説明したが必ずしもこの場合に限られない。折り畳み型の携帯電話やスライド型の携帯電話にも本発明を適用することができる。
【００４３】
その他、実施の形態は、特許請求の範囲に示された技術思想の範囲内において、適宜、種々の変更が可能である。
【符号の説明】
【００４４】
１００  携帯電話機
１０２  スピーカ
１０３  マイク
１０４  タッチパネル
１０５  無線部
１０６  アンテナ
１０７  信号処理部
１０８  記憶部
１０９  計時部
１１０  制御部
１１１  表示部
１１２  入力部
１１３  時刻判定部
１１４  アプリ登録部
１１５  表示制御部
【図１】
2013030888.tif 000003
【図２】
2013030888.tif 000004
【図３】
2013030888.tif 000005
【図４】
2013030888.tif 000006
【図５】
2013030888.tif 000007
【図６】
2013030888.tif 000008
【図７】
2013030888.tif 000009
【図８】
2013030888.tif 000010
【図９】
2013030888.tif 000011
【図１０】
2013030888.tif 000012
【図１１】
2013030888.tif 000013
【図１２】
2013030888.tif 000014
【図１３】
2013030888.tif 000015
【図１４】
2013030888.tif 000016